(57)【要約】【課題】この発明は、モニタリング期間と本露光期間とで露光量に対する電子シャッタの本数が違うことがコストアップの要因になっていたという課題を解決しようとするものである。【解決手段】この発明は、駆動パルス・タイミング発生装置１２が、モニタリング期間とフレーム読出し期間とで、垂直同期信号と撮像素子１１の読出しパルス信号との位相関係が異なるようにそれぞれのパルスを発生し、且つフレーム読出し期間の方が垂直同期信号出力から読出しパルス信号出力までの時間が長く、この時間にメカニカルシャッタを所定のタイミングで閉じることによって、モニタリング期間と本露光期間とで、電子シャッタの設定を変えないものである。【選択図】　図１
2004023208.tif 000002
【特許請求の範囲】
【請求項１】
電子シャッタによって露光量を制御することが可能な撮像素子と、この撮像素子を駆動するための駆動パルス・タイミング発生装置と、メカニカルシャッタとを具備する撮像装置において、前記駆動パルス・タイミング発生装置は、モニタリング期間とフレーム読出し期間とで、垂直同期信号と前記撮像素子の読出しパルス信号との位相関係が異なるようにそれぞれのパルスを発生し、且つフレーム読出し期間の方が垂直同期信号出力から読出しパルス信号出力までの時間が長く、この時間において前記メカニカルシャッタを所定のタイミングで閉じることによって、モニタリング期間と本露光期間とで、前記電子シャッタの設定を変えないことを特徴とする撮像装置。
【請求項２】
請求項１記載の撮像装置において、前記駆動パルス・タイミング発生装置は、フレーム読出し期間において垂直同期信号出力から読出しパルス信号出力までの間はスミア成分を除去するための垂直高速掃き出しとすることを特徴とする撮像装置。
【請求項３】
電子シャッタによって露光量を制御することが可能な撮像素子と、この撮像素子を発振源の出力に基づいて駆動するための駆動パルス・タイミング発生装置と、メカニカルシャッタとを具備する撮像装置において、前記発信源の出力の周波数を任意に周波数に変更できる周波数変更手段を有し、この周波数変更手段により少なくとも本露光期間における最終電子シャッタ出力からフレーム読出し期間の最初の読出しパルス信号までの所定の期間に前記発信源の出力の周波数を一時的に低い周波数にすることにより、前記メカニカルシャッタの遅延特性を吸収するようにし、モニタリング期間と本露光期間とで電子シャッタの設定を変えないことを特徴とする撮像装置。
【請求項４】
請求項３記載の撮像装置において、前記発信源の出力の周波数を一時的に低い周波数にする期間をフレーム読出し期間内の全ての高速掃き出し期間としたことを特徴とする撮像装置。
【請求項５】
電子シャッタによって露光量を制御することが可能な撮像素子と、メカニカルシャッタとを具備する撮像装置における前記撮像素子を駆動するための駆動パルス・タイミング発生装置において、モニタリング期間とフレーム読出し期間とで、垂直同期信号と前記撮像素子の読出しパルス信号との位相関係が異なるようにそれぞれのパルスを発生し、且つフレーム読出し期間の方が垂直同期信号出力から読出しパルス信号出力までの時間が長く、フレーム読出し期間において垂直同期信号出力から読出しパルス信号出力までの間はスミア成分を除去するための垂直高速掃き出しとし、前記時間において前記メカニカルシャッタを所定のタイミングで閉じることによって、モニタリング期間と本露光期間とで、前記電子シャッタの設定を変えないようにしたことを特徴とする駆動パルス・タイミング発生装置。
【発明の詳細な説明】
【０００１】
【発明の属する技術分野】
本発明は、デジタルスチルカメラなどの撮像装置、及び撮像素子を駆動するための駆動パルス・タイミング発生装置に関する。
【０００２】
【従来の技術】
デジタルスチルカメラにおいては、一連のシーケンスとして、通常、撮影画角を決定するためや、静止画記録の際の露光時間、ホワイトバランス等を予め知っておくためのモニタリング期間と、実際に記録するフレームを露光するための本露光期間と、撮像素子から本露光後全画素の信号を読み出す為のフレーム読出し期間とがある。
【０００３】
フレーム読出し期間は、撮像素子から全画素の信号を読出して次段の信号処理回路へ転送する為の期間であるが、その際に、撮像素子がプログレスタイプの撮像素子であればスミアの発生を防ぐために、また撮像素子がインターレースタイプの撮像素子であればスミアの発生防止とフィールド間の露光量差の発生を防ぐために、メカニカルシャッタを用いて、その期間中に撮像素子に光があたることの無いように撮像素子への入射光が遮光される。
【０００４】
一方、モニタリング期間においては、撮像素子の露光時間は、最終電子シャッタ出力から、撮像素子において画素部から垂直転送路へ信号を読み出すための読出しパルス信号出力までの期間で決まり、露光量は、絞りの値と電子シャッタの本数により、所定の露光量になるように制御される。
【０００５】
本露光期間においては、撮像素子の露光時間は、最終電子シャッタ出力から、次のフレーム読出し期間のための、メカニカルシャッタの閉じまでで決まり、露光量は、基本的にはモニタリング期間と同じように、絞り値、電子シャッタ本数によって制御される。
しかし、一般的にメカニカルシャッタは、開状態から閉状態に移行する際に、ある程度の時間が必要とされる。これをメカシャッタの遅延特性などと呼ぶ。
【０００６】
従来の技術では、本露光期間において、このメカニカルシャッタの遅延時間における露光量の誤差は、電子シャッタ本数を減らすことにより、補償するようにされていた。これらの様子を図５に示す。
【０００７】
図５では、２フィールドに分けて全画素の信号を読み出すインターレースタイプのＣＣＤについて記すが、プログレスタイプのＣＣＤを用いた場合や、インターレースタイプのＣＣＤでも、３フィールド以上に分けて全画素の信号を読み出すタイプのＣＣＤを用いた場合も同様である。
【０００８】
図５において、Ｖ１Ａ、Ｖ１Ｂ、Ｖ２、Ｖ３Ａ、Ｖ３Ｂ、Ｖ４は垂直転送パルスを表している。また、Ｖ１（Ｖ１Ａ、Ｖ１Ｂ）、Ｖ３（Ｖ３Ａ、Ｖ３Ｂ）には読出しパルス信号を付加することにより、それぞれＣＣＤから所望の画素の電荷を垂直転送路へ読み出すようになっている。モニタリング期間中に読出しパルス信号が付加されるのがＶ１Ａ、Ｖ３Ａである。フレーム読出し期間には、１つのフィールドでＶ１Ａ、Ｖ１Ｂに読出しパルス信号が付加され、他方のフィールドでＶ３Ａ、Ｖ３Ｂに読出しパルス信号が付加される。ここで、垂直同期信号ＶＤと、読出しパルス信号との位相関係（垂直同期信号ＶＤから読出しパルス信号までの時間）は、モニタリング期間であれ、本露光期間、フレーム読出し期間であれ、同じａという時間であるとしている。
【０００９】
また、デジタルスチルカメラにおいては、図４に示すように撮像素子１を駆動するための駆動パルス・タイミング発生装置（ＴＧ）２は、発振回路３からの周波数ｆが一定である出力パルスに基づいて駆動パルスを生成し、この駆動パルスにより撮像素子１を駆動している。
【００１０】
特開平１−１７７７７９号公報には、撮像素子の素子シャッタ機能によりシャッタ開のタイミングを制御し、かつメカニカルシャッタによりシャッタ閉のタイミングを制御する露光時間制御方法であって、素子シャッタ機能のシャッタ開動作のタイミングをメカニカルシャッタの閉動作に係わる遅延特性に対応させることにより、遅延特性に起因する露光時間の誤差を補償するようにした露光時間制御方法が記載されている。
【００１１】
特開平１−１７９５７４号公報には、撮像素子の素子シャッタ機能によりシャッタ開のタイミングを制御し、かつメカニカルシャッタによりシャッタ閉のタイミングを制御する露光時間制御方法であって、メカニカルシャッタの閉動作特性を記憶手段にデータとして保有させ、この記憶手段に保有されたデータに基づいて上記素子シャッタ機能の動作タイミングを制御するようにした露光時間制御方法が記載されている。
【００１２】
特開２０００−９８４４９号公報には、撮像素子の蓄積時間を制御する電子シャッターと、前記撮像素子への入射光を光学的に制御する光学シャッターと、前記電子シャツターと前記光学シャッターとを制御して露光時間を制御するとともに、前記光学シャッターの閉成タイミングを、該光学シャッターの閉成動作時の遅延時間の特性に応じて制御するＣＰＵとを備えた露出制御装置が記載されている。
【００１３】
特開２００１−１４５０２７号公報には、電荷蓄積部と電荷転送部を備えたＣＣＤ固体撮像素子と、この撮像素子を駆動するＣＣＤドライバと、撮像素子の撮像面に対する被写体像の透過状態と遮光状態とを切換えるメカシャッタとを備え、ＣＣＤドライバ及びシャッタを制御して露光を制御する撮像装置であって、メカシャッタの動作を閉開閉とし、始めの閉時に電荷排出を行った後、光が当る期間は垂直転送路の駆動を行わないようにして電荷移送パルスで露光を終了するようにしたものが記載されている。
【００１４】
特開２００１−２９８６６１号公報には、レンズを介して入力された光の光量を調整する調整手段と、前記調整手段により光量が調整された光を遮断する遮断手段と、前記遮断手段の動作タイミングを制御する第１の制御手段と、前記調整手段により調整された光を受光し、電気信号に変換する変換手段と、前記変換手段の動作タイミングを制御する第２の制御手段と、前記変換手段により変換された前記電気信号から、前記変換手段が受光した光量の積分値を算出する算出手段と、前記調整手段、前記第１の制御手段、もしくは前記第２の制御手段により制御された複数の撮像状態における、前記算出手段により算出された前記光量の積分値から、撮像に適した光量の積分値に対する前記光量の積分値の損失量を補正するための制御情報を生成する制御情報生成手段と、前記制御情報生成手段により生成された前記制御情報の記録を制御する記録制御手段とを備える画像処理装置が記載されている。
【００１５】
【発明が解決しようとする課題】
上記デジタルスチルカメラでは、本露光終了時に、メカニカルシャッタが閉じ始めると、露光量の増分が減る。従って、本露光期間の露光量をモニタリング期間と同じ露光量にする為には、電子シャッタの本数を減らし、露光開始位置を早くする必要があった。例えば図５においては、モニタリング期間の電子シャッタの本数は１４本、本露光期間の電子シャッタの本数は５本としている。
【００１６】
しかし、このことは、モニタリング期間と本露光期間とで、露光量に対する電子シャッタの本数が違うことを意味し、それぞれに対応する露出テーブルを持たなければならなかったり、メカニカルシャッタの遅延時間分を電子シャッタの本数に置き換えるなどの計算手段が必要とされ、プログラムＲＯＭ容量の増加や、計算処理の高速化が要求され、コストアップの要因になっていた。
【００１７】
本発明は、モニタリング期間での電子シャッタ本数と本露光期間での電子シャッタ本数を同じにすることにより、高度な補正手段を持ち合わせることなく、本露光期間における露光量を適正なものにすることができる撮像装置及び駆動パルス・タイミング発生装置を提供することを目的とする。
【００１８】
【課題を解決するための手段】
上記目的を達成するため、請求項１に係る発明は、電子シャッタによって露光量を制御することが可能な撮像素子と、この撮像素子を駆動するための駆動パルス・タイミング発生装置と、メカニカルシャッタとを具備する撮像装置において、前記駆動パルス・タイミング発生装置は、モニタリング期間とフレーム読出し期間とで、垂直同期信号と前記撮像素子の読出しパルス信号との位相関係が異なるようにそれぞれのパルスを発生し、且つフレーム読出し期間の方が垂直同期信号出力から読出しパルス信号出力までの時間が長く、この時間において前記メカニカルシャッタを所定のタイミングで閉じることによって、モニタリング期間と本露光期間とで、前記電子シャッタの設定を変えないものである。
【００１９】
請求項２に係る発明は、請求項１記載の撮像装置において、前記駆動パルス・タイミング発生装置は、フレーム読出し期間において垂直同期信号出力から読出しパルス信号出力までの間はスミア成分を除去するための垂直高速掃き出しとするものである。
【００２０】
請求項３に係る発明は、電子シャッタによって露光量を制御することが可能な撮像素子と、この撮像素子を発振源の出力に基づいて駆動するための駆動パルス・タイミング発生装置と、メカニカルシャッタとを具備する撮像装置において、前記発信源の出力の周波数を任意に周波数に変更できる周波数変更手段を有し、この周波数変更手段により少なくとも本露光期間における最終電子シャッタ出力からフレーム読出し期間の最初の読出しパルス信号までの所定の期間に前記発信源の出力の周波数を一時的に低い周波数にすることにより、前記メカニカルシャッタの遅延特性を吸収するようにし、モニタリング期間と本露光期間とで電子シャッタの設定を変えないものである。
【００２１】
請求項４に係る発明は、請求項３記載の撮像装置において、前記発信源の出力の周波数を一時的に低い周波数にする期間をフレーム読出し期間内の全ての高速掃き出し期間としたものである。
【００２２】
請求項５に係る発明は、電子シャッタによって露光量を制御することが可能な撮像素子と、メカニカルシャッタとを具備する撮像装置における前記撮像素子を駆動するための駆動パルス・タイミング発生装置において、モニタリング期間とフレーム読出し期間とで、垂直同期信号と前記撮像素子の読出しパルス信号との位相関係が異なるようにそれぞれのパルスを発生し、且つフレーム読出し期間の方が垂直同期信号出力から読出しパルス信号出力までの時間が長く、フレーム読出し期間において垂直同期信号出力から読出しパルス信号出力までの間はスミア成分を除去するための垂直高速掃き出しとし、前記時間において前記メカニカルシャッタを所定のタイミングで閉じることによって、モニタリング期間と本露光期間とで、前記電子シャッタの設定を変えないようにしたものである。
【００２３】
【発明の実施の形態】
本発明の実施形態は、本露光期間からフレーム読出し期間に移行する際に、垂直同期信号ＶＤから、撮像素子の画素部から垂直転送部へ信号（電荷）を読み出す読出しパルス信号の出力までの時間をモニタリング期間におけるそれに対し長くし、その時間にメカニカルシャッタの閉じタイミングを合わせ込むことにより、モニタリング期間での電子シャッタ本数と本露光期間での電子シャッタ本数を同じにすることで、高度な補正手段を持ち合わせることなく、本露光期間における露光量を適正なものにするものである。
【００２４】
図１は本発明の一実施形態であるデジタルスチルカメラの一部を示す。このデジタルスチルカメラにおいては、撮像素子１１は、ＣＣＤが用いられ、被写体からの光がレンズ及びメカニカルシャッタを介して入射して被写体像を撮像する。メカニカルシャッタは、図示しない制御部により制御されて開閉し、撮像素子１１の入射光を制御する。撮像素子１１を駆動するための駆動パルス・タイミング発生装置（ＴＧ）１２は、発振源としての発振回路１３からの周波数ｆが一定である出力パルスが周波数変更手段１４を介して入力されて該パルスに基づいて駆動パルスを生成し、この駆動パルスにより撮像素子１１を駆動する。
【００２５】
撮像素子１１は、駆動パルス・タイミング発生装置１２からの駆動パルスにより駆動され、被写体からの入射光を画素部の多数の感光画素により電荷に光電変換して蓄積し、これらの感光画素に蓄積した電荷を駆動パルス・タイミング発生装置１２からの読出しパルス信号により垂直転送部へ読み出して時系列の映像信号として図示しない信号処理回路へ出力する。この信号処理回路は撮像素子１１からの映像信号に対して駆動パルス・タイミング発生装置１２からの駆動パルスに同期して所定の処理を行い、図示しないモニタは上記信号処理回路から映像信号が入力されて被写体像を表示する。上記信号処理回路からの映像信号は、記録媒体としてのメモリカードへ出力されてメモリカードに記録される。
【００２６】
撮像素子１１は、駆動パルス・タイミング発生装置１２からの電子シャッタ（パルス）により画素部の全ての感光画素に蓄積した電荷を撮像素子１１を構成する半導体の内部の基盤（サブストレート）を経てグランドへ掃き出すことにより画素部の蓄積電荷を全てクリアする。
【００２７】
駆動パルス・タイミング発生装置１２は、モニタリング期間及び本露光期間の露光前に、撮像素子１１の露光量を制御するための複数本の電子シャッタ（例えば１４本の電子シャッタ）を撮像素子１１へ出力して撮像素子１１の画素部をクリアさせる。従って、モニタリング期間においては、撮像素子１１の露光時間は、最終電子シャッタ出力から、撮像素子１１において画素部から垂直転送路へ信号を読み出すための読出しパルス信号の出力までの期間で決まり、撮像素子１１の露光量は、絞りの値と電子シャッタの本数により、所定の露光量になるように制御される。
【００２８】
また、本露光期間においては、撮像素子１１の露光時間は、最終電子シャッタ出力から、次のフレーム読出し期間のための、メカニカルシャッタの閉じまでで決まり、撮像素子１１の露光量は、基本的にはモニタリング期間と同じように、絞り値、電子シャッタ本数によって制御される。
【００２９】
図２は本実施形態の駆動タイミング例を示す。
前述した従来のデジタルスチルカメラでは、図５に示すように垂直同期信号ＶＤと読出しパルス信号との位相関係（垂直同期信号ＶＤから読出しパルス信号までの時間）が、どの期間であれ同じ時間ａであったのに対して、本実施形態では、図２に示すように駆動パルス・タイミング発生装置１２から撮像素子１１への垂直同期信号ＶＤと読出しパルス信号との位相関係（垂直同期信号ＶＤから読出しパルス信号までの時間）は、モニタリング期間ではａであるのに対し、フレーム読出し期間では、ａよりも長いｂという時間にしている。
【００３０】
このことにより、従来のデジタルスチルカメラでは、本露光期間において、モニタリング期間よりも電子シャッタ本数を少なくしていたのに対し、本実施形態では、本露光期間とモニタリング期間とで電子シャッタの本数を同じにすることが可能になっている（図２に示すように本露光期間、モニタリング期間ともに電子シャッタ本数は１４本である）。
【００３１】
また、図２においては、フレーム読出し期間内の各垂直駆動パルスの表記において、×印になっている部分があるが、これは、本露光期間に撮像素子１１の垂直転送路に溜まったスミア成分を除去するため、および、垂直転送路中に暗電流によって生ずた電荷を掃き出すための高速掃き出し駆動と呼ばれる、駆動パルス・タイミング発生装置１２から撮像素子１１への垂直駆動パルスによる撮像素子１１の高速駆動を表している。従って、図２に示している実質高速掃き出し期間は、メカニカルシャッタが閉じるまで、スミア成分が撮像素子１１の垂直転送路に発生している可能性があるので、上述の実質高速掃き出し期間内に、少なくとも垂直転送路のパケット分、高速掃き出し駆動をし、確実にスミア成分のスクリーニングを行う。
【００３２】
なお、この高速掃き出し駆動は、メカニカルシャッタを具備したデジタルスチルカメラにおいては、スミアによる画質劣化を防止するために有効な駆動である。本実施形態では、フレーム読出し期間において、垂直同期信号ＶＤの出力から読出しパルス信号が出力されるまでの間を全てこの高速掃き出し駆動にしているのは、上述のようにこの高速掃き出し駆動は、静止画を記録する際に重要な意味を持つため必要であることと、フレーム読出し期間における撮像素子１１の駆動パターンを簡略化することで、駆動パルス・タイミング発生装置１２の内部回路の簡略化を図ることを目的としている。
【００３３】
しかし、この高速掃き出し期間は、撮像素子と一対一で用意される専用の駆動パルス・タイミング発生装置では、ある一定期間で決められる。これは、基本的には、垂直転送路のパケット数、スクリーニングに必要な繰り返し回数、撮像素子の基本駆動周波数により決まるものであるからである。従って、例えばメカニカルシャッタの閉じが非常に遅いような場合には、汎用の駆動パルス・タイミング発生装置を使用すると、高速掃き出し期間内にメカニカルシャッタが完全に閉じきらなかったり、あるいは閉じたとしても完全にスミア成分をスクリーニングするだけの時間が残らないケースが考えられる。
【００３４】
そこで、本実施形態では、図１に示すように、駆動パルス・タイミング発生装置１２とその発振源である発振回路１３との間に電圧制御発振器（ＶＣＯ：Ｖｏｌｔａｇｅ　Ｃｏｎｔｒｏｌｌｅｄ　Ｏｓｃｉｌｌａｔｏｒ）等の周波数変更手段１４を入れ、図３に示すように周波数変更手段１４により発振回路１３の出力の周波数ｆａを任意の周波数ｆｂ（ｆａ＞ｆｂ）に変更して高速掃き出し期間を任意に変更することにより、前記メカニカルシャッタの遅延特性を吸収するようにし、モニタリング期間と本露光期間とで電子シャッタの設定を変えないようにしてあり、上述のような不具合を解消することができる。
【００３５】
周波数変更手段１４により撮像素子１１の駆動周波数を切換えるポイントとしては、高速掃き出し期間に限らず、本露光期間内の最後の電子シャッタ出力後であれば、露出制御の観点（モニタリング期間と本露光期間の電子シャッタ本数が同じであるという観点）において支障をきたすことはない。つまり、本露光期間の露光時間は、上述の通り、最終電子シャッタ出力から、メカニカルシャッタの閉じまでで決まっており、メカニカルシャッタの閉じは撮像素子１１の駆動周波数とは無縁だからである。
【００３６】
一方、この高速掃き出し期間においては、撮像素子１１の垂直転送路の駆動が高速に行われるため、垂直駆動用の電源に通常駆動に比して多大な電流が流れる。そこで、駆動パルス・タイミング発生装置１２は、フレーム読出し期間における高速掃き出し駆動、全てを、低い周波数の駆動を行うように構成すれば、撮像素子駆動電源に要求される電流容量を低く設定することができ、電源回路のコストダウン、また小型化に貢献することができる。ただし、フレーム読出し期間全ての撮像素子駆動を、低い周波数の駆動にすると、撮像素子１１から全画素の信号を読み出すまでの時間が単純に駆動周波数比分、長くなってしまうので、駆動パルス・タイミング発生装置１２は高速掃き出し期間に限って撮像素子１１の駆動周波数を落とすようにした方が良い。
【００３７】
このように本実施形態によれば、メカニカルシャッタの遅延特性による露光量減少分を、フレーム読出し期間において、垂直同期信号ＶＤと読出しパルス信号との位相関係（垂直同期信号ＶＤから読出しパルス信号までの時間）を、モニタリング期間のそれより長くすることにより、モニタリング期間と本露光期間との電子シャッタ本数を同じにすることができ、メカニカルシャッタの遅延時間を考慮した本露光期間における露光量を、複雑な計算や、余分なテーブルなどを持つことなく（高度な補正手段を持ち合わせることなく）、適正にすることが可能になる。
【００３８】
また、フレーム読出しモードにおける垂直同期信号ＶＤの出力から読出しパルス信号の出力までの時間を、全て高速掃き出し期間とすることで、駆動パルス・タイミング発生装置１２の簡略化が可能になり、駆動パルス・タイミング発生装置１２および装置全体のコストを下げることができる。
【００３９】
また、使うことによって撮像素子の性能保証がされ、且つ比較的安価な専用の駆動パルス・タイミング発生装置を使用しつつ、モニタリング期間と本露光期間とで、電子シャッタ本数を変更しない撮像素子の駆動が可能になる。
さらに、上述のような撮像素子の駆動を可能にしつつ、撮像素子駆動用の電源回路、及び装置全体のコストダウン、小型化を図ることが可能となる。
なお、本発明は、上記実施形態に限定されるものではなく、デジタルスチルカメラ以外の撮像装置にも同様に適用することが可能である。
【００４０】
【発明の効果】
以上のように本発明によれば、モニタリング期間での電子シャッタ本数と本露光期間での電子シャッタ本数を同じにすることにより、高度な補正手段を持ち合わせることなく、本露光期間における露光量を適正なものにすることができる。また、駆動パルス・タイミング発生装置の簡略化が可能になり、駆動パルス・タイミング発生装置および装置全体のコストを下げることができる。
【００４１】
また、使うことによって撮像素子の性能保証がされ、且つ比較的安価な専用の駆動パルス・タイミング発生装置を使用しつつ、モニタリング期間と本露光期間とで、電子シャッタ本数を変更しない撮像素子の駆動が可能になる。さらに、撮像素子駆動用の電源回路、及び装置全体のコストダウン、小型化を図ることが可能となる。
【図面の簡単な説明】
【図１】本発明の一実施形態の一部を示すブロック図である。
【図２】同実施形態の駆動タイミング例を示すタイミングチャートである。
【図３】同実施形態の他の駆動タイミング例を示すタイミングチャートである。
【図４】従来のデジタルスチルカメラの一部を示すブロック図である。
【図５】同デジタルスチルカメラの駆動タイミングを示すタイミングチャートである。
【符号の説明】
１１　　　撮像素子
１２　　　駆動パルス・タイミング発生装置
１３　　　発振回路
１４　　　周波数変更手段
【図１】
2004023208.tif 000003
【図２】
2004023208.tif 000004
【図３】
2004023208.tif 000005
【図４】
2004023208.tif 000006
【図５】
2004023208.tif 000007